(57)【要約】【課題】装飾性に優れ、しかも焼付きが生じることを防止した安全な面発光パネルを提供する。【解決手段】透明な樹脂板１１の裏面に白系塗料１２を形成し、白系塗料１２の上から裏面全面、および一側端面を除く残りの側端面に反射シート１３を被覆してなる導光板１０と、緑、赤、および青の三色の発光ダイオード３１と、導光板１０の一側端面を覆う枠体２０と、三色の発光ダイオード３１を、導光板１０の一側端面から内部に投光する姿勢で、枠体２０に取付けられた基板３０と、三色の発光ダイオード３１を適宜に通電させるコントローラ４０とからなり、三色の発光ダイオード３１から導光板１０の内部に投光された光を白系塗料１２で反射させて、導光板１０のおもて面１０ａから所望色の光を発光させる。【選択図】図５
0003127572.tif 000002
【実用新案登録請求の範囲】
【請求項１】
発光ダイオードを利用した装飾用や表示用の面発光パネルであって、
透明な樹脂板の裏面に白系塗料又は白系カッティングシートを形成し、該白系塗料又は白系カッティングシートのさらに上から裏面全面、および一側端面を除く残りの側端面に反射シートを被覆してなる導光板と、
緑、赤、および青の三色の発光ダイオードと、
前記導光板の少なくとも一側端面を覆う枠体と、
前記三色の発光ダイオードを、前記導光板の一側端面から導光板の内部に投光する姿勢で、前記枠体に取付けられた基板と、
前記三色の発光ダイオードを適宜に通電させるコントローラと、からなり、
前記三色の発光ダイオードから前記導光板の内部に投光された光を前記白系塗料又は白系カッティングシートで反射させて、前記導光板のおもて面から所望色の光を発光させることを特徴とする面発光パネル。
【請求項２】
発光ダイオードを利用した装飾用や表示用の面発光パネルであって、
透明な樹脂板の裏面に白系塗料又は白系カッティングシートを形成し、該白系塗料又は白系カッティングシートのさらに上から裏面全面、および一側端面を除く残りの側端面に反射シートを被覆してなる導光板と、
緑、赤、および青の三色の発光ダイオードと、
前記導光板の少なくとも一側端面を覆う枠体と、
前記三色の発光ダイオードを、前記導光板の一側端面から導光板の内部に投光する姿勢で、前記枠体に取付けられた基板と、
前記三色の発光ダイオードを適宜に通電させるコントローラと、からなり、
前記三色の発光ダイオードから前記導光板の内部に投光された光を前記白系塗料又は白系カッティングシートで反射させて、前記導光板のおもて面から所望色の光を発光させ、
しかも、前記枠体内部に、前記導光板の一側端面から所定間隔を空けて設けられた取付部に、前記基板を取付け、前記三色の発光ダイオードと前記一側端面との間に放熱のための空隙を形成したことを特徴とする面発光パネル。
【請求項３】
発光ダイオードを利用した装飾用や表示用の面発光パネルであって、
透明な樹脂板の裏面に白系塗料又は白系カッティングシートを形成し、該白系塗料又は白系カッティングシートのさらに上から裏面全面、および一側端面を除く残りの側端面に反射シートを被覆してなる導光板と、
緑、赤、および青の三色の発光ダイオードと、
前記導光板の少なくとも一側端面を覆う枠体と、
前記三色の発光ダイオードを、前記導光板の一側端面から導光板の内部に投光する姿勢で、前記枠体に取付けられた基板と、
前記三色の発光ダイオードを適宜に通電させるコントローラと、からなり、
前記三色の発光ダイオードから前記導光板の内部に投光された光を前記白系塗料又は白系カッティングシートで反射させて、前記導光板のおもて面から所望色の光を発光させ、
しかも、前記枠体内部に、前記導光板の一側端面から第一の所定間隔を空けるとともに前記枠体の頂壁から第二の所定間隔を空けて設けられた取付部に、前記基板を取付け、前記三色の発光ダイオードと前記一側端面、および前記三色の発光ダイオードと前記頂壁との間に放熱のための第一空隙および第二空隙を形成したことを特徴とする面発光パネル。
【請求項４】
前記三色の発光ダイオードは、色ごとに、長手方向に直列的に複数設けられていることを特徴とする請求項１乃至３のうちいずれか一つに記載の面発光パネル。
【請求項５】
前記枠体は、前記導光板の前記一側端面を含めた全側端面を額縁のように覆うことを特徴とする請求項１乃至４のうちいずれか一つに記載の面発光パネル。
【請求項６】
前記枠体は、アルミニウムであることを特徴とする請求項１乃至５のうちいずれか一つに記載の面発光パネル。
【考案の詳細な説明】
【技術分野】
【０００１】
本考案は、透明な樹脂板の一側端面から、その内部に向かって発光ダイオード（ＬＥＤ）の光を投光し、そのおもて面から発光させる面発光パネルに関するものである。
【背景技術】
【０００２】
従来から、デパートの陳列板、あるいはトラックやパチンコ台などの装飾板や表示板などとして、樹脂板と発光ダイオードを組み合わせて構成した面発光パネルが多く使用されている。
【０００３】
この面発光パネル５０は、図９に示すように、一般に、白い塗料５３を裏面に印刷した透明で矩形状の樹脂板５１の一側端面に発光ダイオード５２を取付け、その発光ダイオード５２の光を樹脂板５１の内部に向けて投光するもので、投光された光は白い塗料５３で反射されおもて面から発光して視覚されるものである（例えば、特許文献１参照）。
なお、発光ダイオード５２を設けていない三方側端部と裏面には、光の放出を防止するために反射シート５４を設けている。
【特許文献１】特開２０００−７５８１９号公報
【考案の開示】
【考案が解決しようとする課題】
【０００４】
しかしながら、こうした従来の面発光パネル５０においては、樹脂板５１に対して発光ダイオード５２からは一色の光（例えば、緑色）のみを投光させているので、その一色の光しか現出させることができず、装飾性に欠ける。
また、発光ダイオード５２を樹脂板５１の側端面に接触させた状態で取付けているので、放熱性が不十分であり、発光ダイオード５２自体、あるいは、発光ダイオード５２を支持する枠体（図示しない）に焼付きが生じてしまうという問題がある。
【０００５】
そこで、本考案の目的とするところは、装飾性に優れ、しかも焼付きが生じることを防止した安全な面発光パネルを提供することにある。
【課題を解決するための手段】
【０００６】
上記の目的を達成するために、本考案の請求項１に記載の面発光パネルは、発光ダイオードを利用した装飾用や表示用の面発光パネルであって、
透明な樹脂板の裏面に白系塗料又は白系カッティングシートを形成し、該白系塗料又は白系カッティングシートのさらに上から裏面全面、および一側端面を除く残りの側端面に反射シートを被覆してなる導光板と、緑、赤、および青の三色の発光ダイオードと、前記導光板の少なくとも一側端面を覆う枠体と、前記三色の発光ダイオードを、前記導光板の一側端面から導光板の内部に投光する姿勢で、前記枠体に取付けられた基板と、前記三色の発光ダイオードを適宜に通電させるコントローラと、からなり、
前記三色の発光ダイオードから前記導光板の内部に投光された光を前記白系塗料又は白系カッティングシートで反射させて、前記導光板のおもて面から所望色の光を発光させることを特徴とする。
【０００７】
また、本考案の請求項２に記載の面発光パネルは、発光ダイオードを利用した装飾用や表示用の面発光パネルであって、
透明な樹脂板の裏面に白系塗料又は白系カッティングシートを形成し、該白系塗料又は白系カッティングシートのさらに上から裏面全面、および一側端面を除く残りの側端面に反射シートを被覆してなる導光板と、緑、赤、および青の三色の発光ダイオードと、前記導光板の少なくとも一側端面を覆う枠体と、前記三色の発光ダイオードを、前記導光板の一側端面から導光板の内部に投光する姿勢で、前記枠体に取付けられた基板と、前記三色の発光ダイオードを適宜に通電させるコントローラと、からなり、
前記三色の発光ダイオードから前記導光板の内部に投光された光を前記白系塗料又は白系カッティングシートで反射させて、前記導光板のおもて面から所望色の光を発光させ、しかも、前記枠体内部に、前記導光板の一側端面から所定間隔を空けて設けられた取付部に、前記基板を取付け、前記三色の発光ダイオードと前記一側端面との間に放熱のための空隙を形成したことを特徴とする。
【０００８】
さらに、本考案の請求項３に記載の面発光パネルは、発光ダイオードを利用した装飾用や表示用の面発光パネルであって、
透明な樹脂板の裏面に白系塗料又は白系カッティングシートを形成し、該白系塗料又は白系カッティングシートのさらに上から裏面全面、および一側端面を除く残りの側端面に反射シートを被覆してなる導光板と、緑、赤、および青の三色の発光ダイオードと、前記導光板の少なくとも一側端面を覆う枠体と、前記三色の発光ダイオードを、前記導光板の一側端面から導光板の内部に投光する姿勢で、前記枠体に取付けられた基板と、前記三色の発光ダイオードを適宜に通電させるコントローラと、からなり、
前記三色の発光ダイオードから前記導光板の内部に投光された光を前記白系塗料又は白系カッティングシートで反射させて、前記導光板のおもて面から所望色の光を発光させ、しかも、前記枠体内部に、前記導光板の一側端面から第一の所定間隔を空けるとともに前記枠体の頂壁から第二の所定間隔を空けて設けられた取付部に、前記基板を取付け、前記三色の発光ダイオードと前記一側端面、および前記三色の発光ダイオードと前記頂壁との間に放熱のための第一空隙および第二空隙を形成してなることを特徴とする。
【０００９】
また、本考案の請求項４に記載の面発光パネルは、前記三色の発光ダイオードは、色ごとに、長手方向に直列的に複数設けられていることを特徴とする。
【００１０】
また、本考案の請求項５に記載の面発光パネルは、前記枠体は、前記導光板の前記一側端面を含めた全側端面を額縁のように覆うことを特徴とする。
【００１１】
また、本考案の請求項６に記載の面発光パネルは、前記枠体は、アルミニウムであることを特徴とする。
【考案の効果】
【００１２】
本考案の請求項１に記載の面発光パネルによれば、緑、赤、青の三色の発光ダイオードの光を、コントローラによって適宜、導光板の内部に投光し、それを白系塗料又は白系カッティングシートで反射させて導光板のおもて面から発光させるので、あらゆる色を発光させることができる。
すなわち、緑、赤、青は光の三原色であり、これらの色を適宜組み合わせることによってあらゆる色を現出させることができるので、きわめて装飾性に優れる。
【００１３】
特に、白系カッティングシートを樹脂板の裏面に部分的に形成することによって、投光された光は、その部分のみで反射して導光板のおもて面から発光するので、白系カッティングシートで所望の模様や文字を形成することによって、それらをおもて面から発光させることができ、さらに装飾性を高めることができる。また、標識などとして使用することもできる。
【００１４】
また、白系塗料又は白系カッティングシートの上から導光板の裏面全面および導光板の一側端面（発光ダイオードが取付けらる側の端面）を除く残りの側端面に反射シートを被覆しているので、発光ダイオードから投光された光が、導光板のおもて面以外の面から放出するのを防止することができる。
従って、より高い光度の光を、おもて面から発光させることができる。
【００１５】
また、三色の発光ダイオードは、基板に取り付けているので、その取扱いが容易であり、導光板の一側端面に沿って正確かつ容易に取付けることができる。
【００１６】
また、請求項２に記載の考案によれば、請求項１に記載の考案の作用効果に加えて、三色の発光ダイオードと導光板の一側端面との間に空隙（第一空隙）を形成しているので、発光ダイオードの熱をこの空隙に放出することができる。
これにより、発光ダイオードの熱によって枠体に焼け付きが発生するといった問題を防止することができる。
【００１７】
さらに、請求項３に記載の考案によれば、請求項１および２に記載の考案の作用効果に加えて、三色の発光ダイオードと枠体の頂壁との間にも空隙（第二空隙）を形成しているので、発光ダイオードから放出される熱をこの空隙にも放散することができる。
従って、放熱による枠体の焼き付きを、さらに効果的に防止することができる。
【００１８】
また、請求項４に記載の考案によれば、請求項１乃至３に記載の考案の作用効果に加えて、三色の発光ダイオードを、色ごとに、長手方向に直列的に複数設けているので、それぞれの色が不適当に重なるのを防止し、正確に所望の色の光をおもて面から現出させることができる。
【００１９】
また、請求項５に記載の考案によれば、請求項１乃至４に記載の考案の作用効果に加えて、導光板の全側端面を枠体で額縁のように覆っているので、面発光パネルの機械的強度を高めることができる。
【００２０】
また、請求項６に記載の考案によれば、請求項１乃至５に記載の考案の作用効果に加えて、枠体をアルミニウムで形成しているので、面発光パネルを軽量で廉価なものとすることができる。
【考案を実施するための最良の形態】
【００２１】
図１乃至図８を参照して、本考案の実施形態に係る面発光パネル１について説明する。図１は面発光パネル１の正面図、図２はその平面図、図３はその側面図、図４は図１のＡ−Ａ線拡大断面図である。また、図５は面発光パネル１の分解斜視図である。また、図６は面発光パネル１の導光板１０を示す正面図である。また、図７は図６のＢ−Ｂ線拡大断面図である。また、図８は面発光パネル１の基板３０を示す平面図である。
【００２２】
本考案の実施形態に係る面発光パネル１は、発光ダイオード３１を利用した装飾用や表示用の面発光パネル１であって、導光板１０、枠体２０、基板３０およびコントローラ４０を備える。また、交流電源を直流に変換するＡＣアダプター６０を併せて備える。また、枠体２０は複数のビス７０によって導光板１０の全側端面に額縁のように取付けられる。この面発光パネル１は、具体的には、例えば、商品を陳列する際の陳列棚、パチンコ店やパチンコ台の装飾板、トラックの外観を飾る装飾板として使用するものである。
【００２３】
導光板１０は、透明で平面正方形である樹脂板１１の裏面に白系塗料（例えば、白い塗料）１２をシルク印刷などによって形成し、その白系塗料１２のさらに上から導光体１０の裏面全面および、発光ダイオード３１が設けられる一側端面を除く残りの三側端面に反射シート１３を被覆したものである。なお、樹脂板１１としては、例えば、アクリル板などがあり、平面正方形のものに限定されず、例えば、三角形や五角形などとすることもできる。白系塗料１２は、白い塗料を塗布することによって形成することができる。ここで、白系とは、純粋に白い色に限定されるものではなく、発光ダイオード３１からの光を反射し、導光板１０のおもて面１０ａから発光させることのできる色であればよい。また、塗料以外（例えば、フィルム）でも形成することができる。
【００２４】
枠体２０は、導光板１０の四方側端部を覆うアルミニウム製であり、図５等に示すように、直線部分に組付ける断面コ字状の直線部材２１と、角部に組付ける半割状の角部材２２とで構成される。
【００２５】
基板３０は、長手方向に延びるプリント基板であって、導光板１０の一側端面に沿って設けられ、緑、赤、および青の三色の発光ダイオード３１を、導光板１０の一側端面から導光板１０の内部に投光する姿勢で、枠体２０に取付けられている。この発光ダイオード３１は、図８に示すように、緑、赤、青の各色を発光するものを、その色ごとに、長手方向に直列的に複数配置している。
なお、本実施形態では、三色の発光ダイオード３１で組Ｔを構成し、長手方向に沿って１０組設けている。また、各組Ｔを、緑が３本、赤が４本、そして青が３本の発光ダイオード３１で構成している。図８において、符号３１（Ｇ）は緑、３１（Ｒ）は赤、３１（Ｂ）は青の光を発する発光ダイオードを示す。また、符号Ｒは抵抗を示す。
【００２６】
また、本実施形態では、枠体２０内部に基板３０を取付けるための取付部２３が、導光板１０の一側端面から第一の所定間隔を空けて設けられている。これにより、取付部２３に基板３０が取付けられると、三色の発光ダイオード３１と一側端面との間には放熱のための第一空隙Ｇ１が形成される。
また、取付部２３は、枠体２０の頂壁２０ａから第二の所定間隔を空けて設けられている。これにより、取付部２３に基板３０が取付けられると、三色の発光ダイオード３１と頂壁２０ａとの間には放熱のための第二空隙Ｇ２が形成される。
この取付部２３は、枠体２０の両側壁２０ｂのそれぞれから相対向する一対の突起２４を上下にそれぞれ突設したもので、上下の突起２４間に挿入された基板３０を突起２４で挟持することによって基板３０を支持するものである。
【００２７】
コントローラ４０は、三色の発光ダイオード３１を適宜に通電させるものであり、これによって、所望の色を導光板１０のおもて面１０ａから発光させることができる。例えば、緑、赤、青の全てを重ねて白色を現出させることができ、また、赤と緑で黄色、緑と青で水色をそれぞれ現出させることができる。
【００２８】
本実施形態に係る面発光パネル１は、緑、赤、青の三色の発光ダイオード３１の光を、コントローラ４０によって適宜、導光板１０の内部に投光し、それを白い反射層１２で反射させて導光板１０のおもて面１０ａから発光させるので、それら原色のみでなく、上述したように、あらゆる色を現出させることができる。従って、きわめて装飾性に優れる。
【００２９】
また、白系塗料１２の上から導光板１０の裏面全体および導光板１０の一側端面を除く残りの三側端面に反射シート１３を被覆しているので、発光ダイオード３１から投光された光が、導光板１０のおもて面１０ａ以外の面から放出するのを防止することができる。
従って、より高い光度の光を、おもて面１０ａから効果的に発光させることができる。
【００３０】
また、導光板１０の四方側端部を枠体２０で覆っているので、面発光パネル１の機械的強度を高めることができる。さらに、三色の発光ダイオード３１は、基板３０に取付けているので、その取扱いが容易であり、また、導光板１０の一側端面に沿って正確かつ容易に取付けることができる。
【００３１】
また、三色の発光ダイオード３１と導光板１０の一側端面との間、および三色の発光ダイオード３１と枠体２０の頂壁２０ａとの間には、それぞれに第一，第二空隙Ｇ１，Ｇ２を形成しているので、当該発光ダイオード３１の熱をこれら空隙Ｇ１，Ｇ２に放出することができる。
これにより、当該放熱によって枠体２０に焼け付きが発生するといった事態を未然に防止することができる。
【００３２】
さらに、三色の発光ダイオード３１を、色ごとに、長手方向に直列的に複数設けているので、それぞれの色が不適当に重なるのを防止し、正確に所望の色の光を発光させることができる。またさらに、枠体２０をアルミニウムで形成しているので、当該面発光パネル１を軽量で廉価なものとすることができる。
【００３３】
なお、本実施形態では、白系塗料１２による膜を樹脂板１１の裏面全体に形成しているが、白系カッティングシートなどを使用して部分的に形成することもできる。なお、白系塗料１２による膜を樹脂板１１の裏面に部分的に形成することもできる。
こうすることによって、導光板１０の内部に投光された光は、白系塗料１２や白系カッティングシートなどによる反射膜が形成されている部分のみで反射して導光板１０のおもて面１０ａから発光するので、所望の模様や文字を形成することができる。
これにより、装飾板としての装飾性を高めることができ、また、順路を示す標識などの表示板として使用することもできる。
【図面の簡単な説明】
【００３４】
【図１】本考案の実施形態に係る面発光パネルを示す正面図である。
【図２】図１に示す面発光パネルの平面図である。
【図３】図１に示す面発光パネルの側面図である。
【図４】図１のＡ−Ａ線拡大断面図である。
【図５】図１に示す面発光パネルの分解斜視図である。
【図６】図１に示す面発光パネルの導光板を示す正面図である。
【図７】図６のＢ−Ｂ線拡大断面図である。
【図８】図１に示す面発光パネルの基板を示す平面図である。
【図９】従来例に係る面発光パネルを示す概略図である。
【符号の説明】
【００３５】
１      面発光パネル
１０      導光板
１０ａ    おもて面
１１      樹脂板
１２      白系塗料
１３      反射シート
２０      枠体
２０ａ    頂壁
２０ｂ    側壁
２１      直線部材
２２      角部材
２３      取付部
２４      突起
３０      基板
３１      発光ダイオード
４０      コントローラ
５０      面発光パネル
５１      樹脂板
５２      発光ダイオード
５３      白い塗料
５４      反射シート
６０      ＡＣアダプター
７０      ビス
Ｇ１      第一空隙
Ｇ２      第二空隙
Ｒ        抵抗
Ｔ        組
【図１】
0003127572.tif 000003
【図２】
0003127572.tif 000004
【図３】
0003127572.tif 000005
【図４】
0003127572.tif 000006
【図５】
0003127572.tif 000007
【図６】
0003127572.tif 000008
【図７】
0003127572.tif 000009
【図８】
0003127572.tif 000010
【図９】
0003127572.tif 000011